(57)【特許請求の範囲】
【請求項１】
座部と、この座部に対して回動可能な背凭部とを備えたストレッチ機能付き椅子であって、
前記背凭部を座部に対して前側に押圧して傾倒させて強制的に前屈を行わせる前屈手段を設け、
前記座部の下方位置に足を支える支え部を、この支え部の上方位置を回動支点として回動可能に設け、
前記前屈手段により前記背凭れ部を前側に傾倒させた際に、この傾倒に連動して前記支え部を前記回動支点を支点にして回動させてその支え部の先端部を前方へ上昇させることを特徴とするストレッチ機能付き椅子。
【請求項２】
前記支え部を左足および右足専用に一対設け、各支え部が独立して回動することを特徴とする請求項１のストレッチ機能付き椅子。
【請求項３】
前記支え部が座部の下面に沿う状態に収納可能となっていることを特徴とする請求項１または請求項２のストレッチ機能付き椅子。
【請求項４】
前記前屈手段はエアバッグから構成されていることを特徴とする請求項１に記載のストレッチ機能付き椅子。
【発明の詳細な説明】
【０００１】
【産業上の利用分野】
この発明は、座部と、この座部に対して回動可能な背凭部とを備えたストレッチ機能付き椅子に関する。
【０００２】
【従来の技術】
従来から、座部と、この座部に対して回動可能な背凭部とを備えた椅子が知られている。
【０００３】
かかる椅子は、背凭部を座部に対して後方へ回動させて傾倒させていくことができるので、背筋を延ばしながら背凭部を後方へ傾倒させていくことによりストレッチを行うことができる。このようなストレッチは比較的小さな力で簡単に行うことができる。しかし、前屈をする場合には、背骨が背中側にあることにより大きな力を必要とする。
【０００４】
【発明が解決しようとする課題】
しかしながら、従来の椅子では、背凭部が単に回動可能となっているだけなので、背凭部によって強制的に前屈させてストレッチを行なわせることができなかった。
【０００５】
この発明は、上記の事情に鑑みてなされたもので、その目的は、背凭部によって強制的に前屈させてストレッチを行うことのできるストレッチ機能付き椅子を提供することにある。
【０００６】
【課題を解決するための手段】
上記目的を達成するため、請求項１の発明は、座部と、この座部に対して回動可能な背凭部とを備えたストレッチ機能付き椅子であって、
前記背凭部を座部に対して前側に押圧して傾倒させて強制的に前屈を行わせる前屈手段を設け、
前記座部の下方位置に足を支える支え部を、この支え部の上方位置を回動支点として回動可能に設け、
前記前屈手段により前記背凭れ部を前側に傾倒させた際に、この傾倒に連動して前記支え部を前記回動支点を支点にして回動させてその支え部の先端部を前方へ上昇させることを特徴とするストレッチ機能付き椅子。
【０００７】
請求項２の発明は、前記支え部を左足および右足専用に一対設け、各支え部が独立して回動することを特徴とする。
【０００８】
請求項３の発明は、前記支え部が座部の下面に沿う状態に収納可能となっていることを特徴とする。
【０００９】
請求項４の発明は、前記前屈手段はエアバッグから構成されていることを特徴とする。
【００１０】
【実施形態】
以下、この発明に係るストレッチ機能付き椅子の実施形態を図面に基づいて説明する。
【００１１】
図１に示すストレッチ機能付き椅子１０は、座部１１と背凭部１２と一対のアームレスト１４,１５とを有する椅子１６と、エアバック２０〜２３と、エア給排気装置４０（図３参照）とを備えている。
【００１２】
座部１１および背凭部１２は、図２に示すフレーム７０,８０にスポンジゴム等のクッションを保持させた本体(図示せず)を設けて、この本体をカバー(図示せず)で覆った構成となっている。
【００１３】
背凭部１２のフレーム７０は、前後方向に延びた一対の側枠７１,７１と、この側枠７１,７１間の前側に回動可能に取り付けられた円柱状の横架部材７２と、側枠７１,７１間の後側に回動可能に取り付けられた円柱状の支持部材７３等とを有している。
【００１４】
横架部材７２には下方に延びた支持棒１８が取り付けられており、この支持棒１８の先端部には左右に延びた支え部としての支えバー１９が設けられている。支えバー１９は、横架部材７２の回動により矢印Ｐ1,Ｐ2方向へ移動するようになっている。横架部材７２は図示しないスプリングにより反時計方向（図２において）に付勢されている。
【００１５】
横架部材７２には孔７２Ａが設けられており、この孔７２Ａからワイヤ７４が支持棒１８内を通って支えバー１９内に達し、ワイヤ７４の一端が支えバー１９内で固定されている。ワイヤ７４の他端側はボックス７５内に設けた図示しない巻取ローラに巻かれており、この巻取ローラはモータ３０（図３参照）によって回転してワイヤ７４を巻き取っていき、巻取ローラによってワイヤ７４が巻き取られていくと、支えバー１９および横架部材７２はスプリングの付勢力に抗して矢印Ｐ1方向へ回動移動していくようになっている。また、モータ３０を逆回転させると、横架部材７２および支えバー１９がスプリングにより矢印Ｐ2方向へ回動していき、支えバー１９が図４の二点鎖線で示すように座部１１の下面に沿うように収納されるようになっている。
【００１６】
ボックス７５は、側枠７１,７１間に架設した横枠部材７６に取り付けられている。
【００１７】
支持部材７３には上方に延びた背凭部１２のフレーム８０が取り付けらており、支持部材７３の回動により背凭部１２が座部１１に対して回動するようになっている。また、支持部材７３には下方に突出した固定部材８１が設けられており、この固定部材８１の下端には連結部材８２の一端が回動可能に取り付けられている。連結部材８２の他端はエアバック（前屈手段）２９の一端に設けた端板８４に回動可能に取り付けられている。エアバック２９の他端に設けた端板８５には横枠部材７６から後方へ突出した固定部材８６に固定されている。
【００１８】
エアバック２９は前後方向に膨張・収縮するものであり、この膨張・収縮により支持部材７３が回動して背凭部１２が座部１１に対して回動して前側および後側へ傾倒していく。
【００１９】
座部１１には、図１に示すように、カバーの下側に且つ前側の位置に左右方向に延びたエアバック２０が設けられている。
【００２０】
背凭部１２の中央部には上下方向に延びたエアバック２１が設けられ、また背凭部１２の下部の両側には一対のエアバック２２,２３が設けられている。これらエアバック２１〜２３は図示しないカバーによって覆われている。エアバック２１は背骨に沿うとともに腰の位置から肩の位置まで延びている。エアバック２２,２３は膨張した際に腰を両側から挟み込んで腰をサポートするようになっている。
【００２１】
また、背凭部１２の上部の両側部には一対のストレッチ用ハンドル２５,２６が設けられており、このストレッチ用ハンドル２５,２６は背凭部１２のフレーム８０に固定されている。
【００２２】
アームレスト１４の外側面には操作部３５が設けられており、この操作部３５には、図３に示すように、上半身ストレッチスイッチＳ1と、脚部ストレッチスイッチＳ2と、前屈ストレッチスイッチＳ3と、腰部アップスイッチＳ4と、腰部ダウンスイッチＳ5と、収納スイッチＳ6と、電源用のオン・オフスイッチＳ7とが設けられている。
【００２３】
上半身ストレッチスイッチＳ1を操作するとエアバック２１が膨張・収縮され、脚部ストレッチスイッチＳ2を操作するとエアバック２０が膨張・収縮される。前屈ストレッチスイッチＳ3を操作するとエアバック２９が膨張・収縮される。収納スイッチＳ6を操作するとモータ３０が逆回転して支えバー１９が図４の二点鎖線で示す位置へ収納されるようになっている。
【００２４】
腰部アップスイッチＳ4を押すと、押している間だけエアバック２２,２３が膨張されていき、腰部アップスイッチＳ4から指を離すとエアバック２２,２３の膨張が停止するようになっている。腰部ダウンスイッチＳ5を押すと、押している間だけ膨張したエアバック２２,２３が収縮されていき、腰部ダウンスイッチＳ5から指を離すとエアバック２２,２３の収縮が停止するようになっている。これらスイッチＳ4,Ｓ5は、体の大きさに合わせて腰部をエアバック２２,２３で固定できるようにしたものである。
【００２５】
エア給排気装置４０は、図３に示すように、空気を各エアバック２１〜２３,２９に送り込むポンプ４１と、電磁弁４２〜４６と、ＣＰＵ等からなる制御回路５０と、電源回路５１と、二次電池５２を充電する充電回路５３等とを備えている。
【００２６】
ポンプ４１と各電磁弁４２〜４５は連通管６０により連通され、電磁弁４６はポンプ４１を大気に開放して各エアバック２１〜２３内の空気を排気させる。電磁弁４２とエアバック２１とは連通管６１により連通され、電磁弁４３とエアバック２２,２３とは連通管６２により連通され、電磁弁４４とエアバック２０とは連通管６３により連通され、電磁弁４５とエアバック２９,２９とは連通管６４により連通されている。電磁弁４７は、連通管６４に設けられており、エアバック２９内の空気を排気させるためのものである。
【００２７】
制御回路５０は各スイッチＳ1〜Ｓ6の操作に基づいて電磁弁４２〜４７,ポンプ４１およびモータ３０を制御する。エア給排気装置４０は、二次電池５２を電源としているが、プラグＰがコンセント(図示せず)に接続されると、電源回路５１から制御回路５０や電磁弁４２〜４６が電力の供給を受けるようになっている。また、このとき二次電池５２は充電回路５３によって充電される。
【００２８】
エア給排気装置４０は、図４に示すように、背凭部１２の裏面に設けた収納部１２Ａ内に設けられている。このエア給排気装置４０の電磁弁４２〜４５とエアバック２１〜２３,２９とを連通する連通管６１〜６３,６４は座部１１の下面側や背凭部１２の背面側に配設されている。
【００２９】
次に、上記のように構成されるストレッチ機能付き椅子の動作について説明する。
【００３０】
前屈ストレッチを行う場合には、先ず、オン・オフスイッチＳ6を入れ、前屈ストレッチＳ3を押す。すると、電磁弁４５が開成され（他の電磁弁４２〜４３,４６,４７は閉成している）、ポンプ４１が駆動してエアバック２９に空気が送り込まれ、エアバック２９が膨張していく。エアバック２９の膨張により、図４の鎖線で示すように背凭部１２が支持部材７３を中心にして前方へ回動していく。すなわち、エアバック２９の膨張により、背凭部１２が前側に押圧されて傾倒していく。
【００３１】
他方、前屈ストレッチＳ3が押されると、モータ３０が駆動されてワイヤ７２が巻き取られていき、このワイヤ７２の巻き取りにより支えバー１９は図４の二点鎖線の位置から実線の位置を経て一点鎖線の位置へ回動していく。
【００３２】
背凭部１２の前方への傾倒と支えバー１９の回動とにより前屈が強制的に効率よく行われていき、ストレッチが効率良く十分に行なわれることになる。
【００３３】
背凭部１２が鎖線位置へ移動し、支えバー１９が二点鎖線位置へ移動すると、電磁弁４５が閉じるとともにポンプ４１が停止し、モータ３０が停止する。そして、図４の鎖線および二点鎖線で示す状態が一定時間保持される。この後、電磁弁４７が開成され、エアバック２９内が外気に連通される。また、モータ３０が逆回転し、支えバー１９が図示しないスプリングの付勢力により実線位置へ移動してモータ３０の駆動が停止される。支えバー１９が実線位置へきたか否かの判断は、例えばマイクロスイッチなどを設けて行う。
【００３４】
エアバック２９内の外気の連通により使用者は背中を起こしていくと、エアバック２９内の空気が排気されてエアバック２９が収縮していき、背凭部１２が実線位置へ起こされていく。背凭部１２が実線位置へ起こされると、電磁弁４５が開成されるとともに電磁弁４７が閉成され、ポンプ４１が駆動してエアバック２９が膨張していく。背凭部１２の実線位置にきたか否かの判断は例えばマイクロスイッチなどを設けて行えばよい。
【００３５】
エアバック２９の膨張により、上記と同様にして背凭部１２が前方へ回動していく。また、モータ３０が駆動されて支えバー１９が一点鎖線位置へ回動される。これら動作が繰り返し行われて前屈のストレッチが複数回行われる。この回数は予め設定されているが、使用者が任意に設定できるようにしてもよく、あるいはタイマにより一定時間だけ行われるようにしてもよい。
【００３６】
上半身ストレッチを行う場合には、腰アップスイッチＳ4を押す。腰部アップスイッチＳ4が押されている間、電磁弁４３が開成し（他の電磁弁４２,４４〜４６は閉成している）、ポンプ４１によってエアバック２２,２３が膨張されていく。このエアバック２２,２３の膨張により腰部が固定される。腰部が丁度よい状態に固定されたら指を腰部アップスイッチＳ4から離す。これにより、電磁弁４３が閉成してエアバック２２,２３の膨張が停止される。
【００３７】
次に、上半身ストレッチスイッチＳ1を押すと、ポンプ４１が駆動するとともに電磁弁２１が開成してポンプ４１によりエアバック２１が膨張されていく。このとき、図５に示すように、ストレッチ用ハンドル２５,２６を握っておく。エアバック２２,２３により腰部が固定され、ストレッチ用ハンドル２５,２６を握っていることにより、エアバック２１が膨張するにしたがって背中が反っていき、背筋が伸ばされていく。これにより、ストレッチが行われることになる。
【００３８】
ところで、エアバック２１は、背骨に沿うとともに腰の位置から肩の位置まで延びているので、膨張により背筋を大きく延ばすことができ、これにより上半身のストレッチが十分に行なわれ、ストレスを解消することができる。また、腰部が固定されているので、背筋を確実に延ばすことができ、効率よくストレッチを行うことができる。
【００３９】
エアバック２１が所定時間膨張すると、ポンプ４１の駆動が停止されるとともに電磁弁４６が開成されて、エアバック２１は収縮していく。これら動作が繰り返し行われていく。
【００４０】
上半身のストレッチを止める場合には、再度上半身ストレッチスイッチＳ1を押す。これにより、ポンプ４１の駆動が停止されるとともに電磁弁４６,４２が開成されてエアバック２１が収縮される。
【００４１】
脚部ストレッチを行う場合には、脚部ストレッチスイッチＳ2を押す。これにより、電磁弁４６が閉成するとともに電磁弁４４が開成し（電磁弁４２,４３,４５が閉成している）、そして、ポンプ４１が駆動してエアバック２０が膨張されていく。このとき、図４に示すように、足の甲を支えバー１９に引っかけておく。このため、エアバック２０が膨張するにしたがって脚部は延びていき、ストレッチが行われることになる。
【００４２】
エアバック２０が所定時間膨張すると、ポンプ４１の駆動が停止されるとともに電磁弁４６が開成されてエアバック２０は収縮していく。これら動作が繰り返し行われていく。
【００４３】
このストレッチを止める場合には、脚部ストレッチスイッチＳ2を再度押せば、上記と同様にしてエアバック２０の膨張・収縮が停止される。
【００４４】
ところで、前屈のストレッチを行う場合に、脚部ストレッチスイッチＳ2を押して予めエアバック２０を膨張させておけば、背凭部１２が図４の鎖線で示すように傾倒したときに体が前方に押し出されてしまうのを防止することができる。
【００４５】
ストレッチが終わったら収納スイッチＳ6を押す。すると、モータ３０が逆回転され、スプリングの付勢力により支えバー１９が図４に示す二点鎖線の位置へ収納され、通常の椅子として使用する際に支えバー１９が邪魔になってしまうことがない。
【００４６】
上記実施形態では、支えバー１９によって左右の両足を持ち上げるようにしているが、左右の足を互いに独立して持ち上げるようにしても良い。例えば、図５および図６に示すように、横架部材７２の替わりに側枠７１,７１間に軸管部材９０を取り付け、この軸管部材９０に回動可能に筒部材９１,９２を嵌合させ、この筒部材に下方に延びる支持部材９３,９４を設け、この支持部材９３,９４の下端部に支えバー９５,９６を設ける。そして、ワイヤ９７,９８によって支えバー９５,９６を矢印方向に回動できるようにする。ワイヤ９７,９８は２つのモータによって巻き取るものである。
【００４７】
この例によれば、背凭部１２の回動に連動して支えバー９５または９６だけを回動させることにより、使用者の好みに応じたストレッチを行うことが可能となる。
【００４８】
また、上記実施形態では、背凭部１２の回動に連動して支えバー１９,９５または９６を連動させて回動させているが、背凭部１２だけを回動させるようにしてもよい。
【００４９】
【発明の効果】
以上説明したように、請求項１の発明によれば、前屈手段が背凭部を座部に対して前側に押圧して傾倒させると、支え部が回動支点を支点にして回動してその支え部の先端部が前方へ上昇していくものであるから、膝より下の脚部が持ち上げられて脚部全体が前方へ伸ばされていくとともに、背凭部の前側への傾倒により上半身が前方へ屈曲される。このため、前屈ストレッチが強制的に効率よく行われる。
【００５１】
請求項２の発明によれば、支え部を左足および右足専用に一対設け、各支え部が独立して回動するようにしたものであるから、使用者の好みに応じたストレッチを行うことが可能となる。
【００５２】
請求項３の発明によれば、支え部が座部の下面に沿う状態に収納可能となっているものであるから、通常の椅子として使用する際に支え部が邪魔になってしまうことがない。
【図面の簡単な説明】
【図１】この発明に係るストレッチ機能付き椅子を示した斜視図である。
【図２】背凭部と支えバーの回動機構を示した斜視図である。
【図３】図１のストレッチ機能付き椅の構成を示したブロック図である。
【図４】背凭部の回動状態を示した説明図である。
【図５】他の例の支えバーの構成を示した説明図である。
【図６】図５の支えバーの構成を示した側面図である。
【符号の説明】
１１    座部
１２    背凭部
２９    エアバック
【図１】
0003638217.tif 000002
【図２】
0003638217.tif 000003
【図３】
0003638217.tif 000004
【図４】
0003638217.tif 000005
【図５】
0003638217.tif 000006
【図６】
0003638217.tif 000007